(57)【特許請求の範囲】
【請求項１】
収容空間を有する鏡筒および前記収容空間内に収容されたレンズ群とスペーサとを含み、前記レンズ群は、少なくとも第１レンズと、前記第１レンズの像側に設けられた第２レンズとを含み、前記スペーサは前記第１レンズと前記第２レンズとの間に介在しているレンズモジュールであって、
前記スペーサはスペーサ本体及び前記スペーサ本体に嵌設された遮光シートを含み、
前記スペーサ本体はプラスチックで製造され、前記遮光シートと前記スペーサ本体とは一体的に射出成形される
ことを特徴とするレンズモジュール。
【請求項２】
前記スペーサは環状であり、
前記スペーサ本体は像側に接近する像側面、物体側に接近する物体側面及び前記像側面と前記物体側面とを接続する内側面と外側面を含み、
前記内側面は、光軸に接近する一側に位置し、
前記外側面は前記鏡筒に当接されることを特徴とする請求項１に記載のレンズモジュール。
【請求項３】
前記遮光シートは、前記スペーサ本体内に嵌設された固定部、及び前記固定部の光軸に接近する一端から前記内側面の延伸方向に沿って折り曲げられて延伸して形成された遮光部を含むことを特徴とする請求項２に記載のレンズモジュール。
【請求項４】
前記内側面は、像側から物体側に向かって光軸に接近する方向で傾斜して設置され、
前記遮光部の一部は前記スペーサ本体内に嵌設され、他の一部は光軸に接近する方向に向かって前記内側面から延出することを特徴とする請求項３に記載のレンズモジュール。
【請求項５】
前記遮光部は前記内側面の中央部に位置することを特徴とする請求項４に記載のレンズモジュール。
【請求項６】
前記固定部は前記像側面と平行となって設置されることを特徴とする請求項３に記載のレンズモジュール。
【請求項７】
前記第１レンズは、結像用の第１光学部と、前記第１光学部を取り囲むように設けられた第１周辺部とを含み、前記第２レンズは、結像用の第２光学部と、前記第２光学部を取り囲むように設けられた第２周辺部とを含み、前記物体側面は、前記第１周辺部と対応して当接され、前記像側面は、前記第２周辺部と対応して当接されることを特徴とする請求項２に記載のレンズモジュール。
【請求項８】
前記遮光シートの表面に炭素層が被覆されることを特徴とする請求項１に記載のレンズモジュール。
【発明の詳細な説明】
【技術分野】
【０００１】
本発明は、光学結像の技術分野に関し、特にレンズモジュールに関する。
【背景技術】
【０００２】
科学技術の絶え間ない発展に伴い、電子機器は絶えずインテリジェントに発展しているが、デジタルカメラ以外に、例えばタブレットコンピュータ、携帯電話などの携帯型電子機器も撮影カメラ機能を備えたレンズモジュールを搭載し、ユーザの随時写真撮影するニーズを満たす。
【０００３】
関連技術におけるレンズモジュールは鏡筒及び前記鏡筒内に収容されたレンズ群とスペーサを含み、前記スペーサは前記レンズ群の２つの隣接するレンズの間に挟まれる。
【０００４】
しかしながら、関連技術におけるレンズモジュールのスペーサは、一般的にプラスチックによる射出成形で形成され、プラスチックの表面の反射率が高く、それにより前記レンズモジュールが使用中に迷光が発生しやすく、結像品質に影響を与える。
【０００５】
したがって、上記問題を解決するために、新たなレンズモジュールを提供する必要がある。
【発明の概要】
【発明が解決しようとする課題】
【０００６】
関連技術におけるレンズモジュールは、スペーサ表面の反射率が高いため、迷光が発生しやすく、結像品質に影響を与えるという技術的問題を有することに対して、本発明は結像品質がより優れたレンズモジュールを提供する。
【課題を解決するための手段】
【０００７】
収容空間を有する鏡筒および前記収容空間内に収容されたレンズ群とスペーサとを含み、前記レンズ群は、少なくとも第１レンズと、前記第１レンズの像側に設けられた第２レンズとを含み、前記スペーサは前記第１レンズと前記第２レンズとの間に介在しているレンズモジュールであって、前記スペーサはスペーサ本体及び前記スペーサ本体に嵌設された遮光シートを含む。
【０００８】
好ましくは、前記スペーサは環状であり、前記スペーサ本体は像側に接近する像側面、物体側に接近する物体側面及び前記像側面と前記物体側面とを接続する内側面と外側面を含み、前記内側面は、光軸に接近する一側に位置し、前記遮光シートは、前記内側面に接近する一側に位置し、前記外側面は前記鏡筒に当接される。
【０００９】
好ましくは、前記遮光シートは、前記スペーサ本体内に嵌設された固定部、及び前記固定部の光軸に接近する一端から前記内側面の延伸方向に沿って折り曲げられて延伸して形成された遮光部を含む。
【００１０】
好ましくは、前記内側面は、像側から物体側に向かって光軸に接近する方向で傾斜して設置され、前記遮光部の一部は前記スペーサ内に嵌設され、他の一部は光軸に近接する方向に向かって前記内側面から延出する。
【００１１】
好ましくは、前記遮光部は前記内側面の中央部に位置する。
【００１２】
好ましくは、前記固定部は前記像側面と平行となって設置される。
【００１３】
好ましくは、前記第１レンズは、結像用の第１光学部と、前記第１光学部を取り囲むように設けられた第１周辺部とを含み、前記第２レンズは、結像用の第２光学部と、前記第２光学部を取り囲むように設けられた第２周辺部とを含み、前記物体側面は、前記第１周辺部と対応して当接され、前記像側面は、前記第２周辺部と対応して当接される。
【００１４】
好ましくは、前記スペーサ本体はプラスチックで製造される。
【００１５】
好ましくは、前記遮光シートと前記スペーサ本体とは一体的に射出成形される。
【００１６】
好ましくは、前記遮光シートの表面に炭素層が被覆される。
【発明の効果】
【００１７】
従来技術に比べて、本発明が提供するレンズモジュールは、前記スペーサ本体に前記遮光シートを嵌設することにより、前記遮光シートの反射率がより低いので、光線の反射を効果的に減少させ、迷光の発生を回避することができ、前記レンズモジュールの結像品質を向上させる。
【図面の簡単な説明】
【００１８】
本発明の実施例における技術考案をより明確に説明するために、以下、実施例で使用する必要な図面を簡単に説明し、以下に説明する図面が、本発明の一部の実施例のみであり、当業者であれば、創造的な労働を行わない前提で、これらの図面からほかの図面を得るここが明らかである。
【００１９】
【図１】図１は、本発明が提供するレンズモジュールの構造概略図である。
【図２】図２は、図１に示しているII領域の部分拡大図である。
【発明を実施するための形態】
【００２０】
以下では本発明の実施例における図面を参照しながら、本発明の実施例における技術考案を明確的かつ完全的に説明し、記載された実施例は単に本発明の一部だけであり、全ての実施例ではない。本発明における実施例に基づき、当業者は創造的な労働を行うことなく取得した全ての他の実施例は、いずれも本発明の保護範囲に属する。
【００２１】
図１と図を参照し、本発明はレンズモジュール１００を提供し、前記レンズモジュール１００は、例えば、撮像機、カメラ、携帯電話等の携帯機器に適用することができる。前記レンズモジュール１００は、収容空間を有する鏡筒１０、前記収容空間内に収容されたレンズ群２０及びスペーサ３０を含む。
【００２２】
前記鏡筒１０は、光通過孔１１を有する第１筒壁１２及び前記第１筒壁１２から像側に向かって折り曲げられて延伸する第２筒壁１３を含み、前記光通過孔１１は前記収容空間と連通する。前記第２筒壁１３は内表面１３１を含み、前記内表面１３１は前記第１筒壁１２と共に前記収容空間を取り囲んでいる。
【００２３】
前記レンズ群２０は少なくとも第１レンズ２１及び前記第１レンズ２１の像側に設けられた第２レンズ２２を含む。
【００２４】
なお、本実施例において、前記レンズ群２０は、４枚のレンズ構造である。ここで、物体側から像側に向かう第３目のレンズは、前記第１レンズ２１であり、物体側から像側に向かう第４目は前記第２レンズ２２である。当然ながら，他の実施例において、前記レンズ群２０におけるレンズの数は他の任意の数であってもよく、本実施例において、４枚のレンズのみを例として説明する。一方、他の実施例において、前記第１レンズ２１と前記第２レンズ２２は実際的な必要に応じて任意的に位置することができる。
【００２５】
前記第１レンズ２１は、結像用の第１光学部２１１と、前記第１光学部２１１を取り囲むように設けられた第１周辺部２１２とを含み、前記第２レンズ２２は、結像用の第２光学部２２１と、前記第２光学部２２１を取り囲むように設けられた第２周辺部２２２とを含む。
【００２６】
前記スペーサ３０は、前記第１レンズ２１と前記第２レンズ２２との間に介在される。具体的には、前記スペーサ３０は、スペーサ本体３１及び前記スペーサ本体３１に嵌設された遮光シート３２を含む。前記スペーサ本体３１はプラスチックで製造され、好ましくは、前記遮光シート３２と前記スペーサ本体３１とは一体的に射出成形され、前記遮光シート３２と前記スペーサ本体３１との間の接続安定性を効果的に向上させることができ、前記遮光シート３２が前記スペーサ本体３１から脱落しにくい。
【００２７】
前記スペーサ３０は環状であり、前記スペーサ本体３１は像側に接近する像側面３１１、物体側に接近する物体側面３１２、及び前記像側面３１１と前記物体側面３１２とを接続する内側面３１３と外側面３１４を含み、前記内側面３１３は光軸に接近する一側に位置し、且つ前記内側面３１３は像側から物体側に向かって光軸に接近する方向で傾斜して設置され、前記遮光シート３２は前記内側面３１３に接近する一側に位置する。前記像側面３１１は前記第２周辺部２２２と対応して当接され、前記物体側面３１２は前記第１周辺部２１２と対応して当接され、前記外側面３１４は前記内表面１３１と対応して当接されることで、前記スペーサ３０は、前記鏡筒１０、前記第１レンズ２１及び前記第２レンズ２２と緊密的に接続される。
【００２８】
前記遮光シート３２は前記スペーサ本体３１内に嵌設された固定部３２１及び前記固定部３２１の光軸に接近する一端から前記内側面３１３の延伸方向に沿って折り曲げられて延伸して形成された遮光部３２２を含む。前記遮光部３２２の一部は前記スペーサ本体３１内に嵌設され、他の一部は光軸方向に近接して前記内側面３１３から延出する。前記遮光部３２２の反射率が低く、光線の反射を効果的に減少させ、結像品質を向上させることができる。具体的には、前記遮光部３２２は前記内側面３１３の中部に位置することで、光線の反射を良好的に低減することができる。
【００２９】
前記固定部３２１は前記像側面３１１と平行となって設置されることで、前記遮光シート３２の加工がやすくなり、且つ製造時に部品の位置決めを容易にし、位置決めをより正確になって、歩留まりを向上させる。
【００３０】
好ましくは、前記遮光シート３２の表面に炭素層が被覆され、炭素層の反射率が低くて光線の反射を効果的に減少させることができる。
【００３１】
理解できるように、本実施例において、前記遮光部３２２は前記内側面３１３の中央部に位置し、かつ前記遮光部３２２の一部は前記内側面３１３から延出することで、前記遮光部３２２によって光線の反射を減少させることを実現する。当然ながら、他の実施例において、前記遮光部３２２の光軸に接近する一側の表面は前記内側面３１３と面一であってもよく、即ち前記遮光部３２２は前記内側面３１３から延出しなくてもよく、前記遮光部３２２と前記内側面３１３とは同一の平面上にあるだけでよい。なお、前記遮光部３２２は、前記内側面３１３を完全に覆うことができ、即ち前記スペーサ本体３１の光軸に接近する一側の表面は前記遮光部３２２で構成され、これにより光線の反射をより減少させることができる。すなわち、本発明は、前記遮光シート３２と前記スペーサ本体３１との接続構造は何ら制限されなく、前記スペーサ本体３１に前記遮光シート３２を嵌設して光線の反射を減少させて、結像効果を向上させることができれば結構である。
【００３２】
関連技術と比べて、本発明が提供するレンズモジュールは、前記スペーサ本体に前記遮光シートを嵌設することにより、前記遮光シートの反射率がより低いので、光線の反射を効果的に減少させ、迷光の発生を回避することができ、前記レンズモジュールの結像品質を向上させる。
【００３３】
以上に説明されたのは、本発明の実施形態に過ぎず、当業者にとっては、本発明の思想から逸脱しない限り、さらに改良することができ、これらの改良も本発明の保護範囲に含まれると理解すべきである。
【図１】
0006882840.tif 000002
【図２】
0006882840.tif 000003